(57)【要約】【課題】利便性に優れ、かつ残香性に優れる拭き取り用の液体洗浄剤を提供する。【解決手段】（Ａ）成分：（Ａ）成分：二級アルカンスルホン酸塩、特定のジアルキルスルホコハク酸エステル及びその塩から選ばれる少なくとも１種の界面活性剤と、（Ｂ）成分：特定の両性界面活性剤と、（Ｃ）成分：エタノール１５質量％以上と、（Ｄ）成分：ＣｌｏｇＰ値が３．０以上の香料成分を含有する香料と、を含有し、前記（Ａ）成分／前記（Ｂ）成分で表される質量比が０．３〜３０、［前記（Ａ）成分＋前記（Ｂ）成分］／前記（Ｄ）成分で表される質量比が０．５〜３０であることよりなる。【選択図】なし【特許請求の範囲】
【請求項１】
（Ａ）成分：二級アルカンスルホン酸塩、及び下記一般式（ａ２）で表される化合物から選ばれる少なくとも１種の界面活性剤と、
（Ｂ）成分：下記一般式（ｂ１）で表される化合物、及び下記一般式（ｂ２）で表される化合物から選ばれる少なくとも１種の両性界面活性剤と、
（Ｃ）成分：エタノール１５質量％以上と、
（Ｄ）成分：ＣｌｏｇＰ値が３．０以上の香料成分を含有する香料と、を含有し、
前記（Ａ）成分／前記（Ｂ）成分で表される質量比が０．３〜３０、［前記（Ａ）成分＋前記（Ｂ）成分］／前記（Ｄ）成分で表される質量比が０．５〜３０である拭き取り用の液体洗浄剤。
【化１】
2015021075.tif 000015
（上記（ａ２）式中、Ｒ１及びＲ２は、それぞれ独立に、炭素数６〜１８のアルキル基又は炭素数６〜１８のアルケニル基である。Ｍａは、水素、アルカリ金属、アルカリ土類金属、アンモニア、アルカノールアミンのいずれかを示し、ｔはＭａの価数を表す。）
【化２】
2015021075.tif 000016
（上記（ｂ１）式中、Ｒ１１は、炭素数８〜２０のアルキル基又は炭素数８〜２０のアルケニル基を示す。Ｒ１２は、炭素数１〜５のアルキレン基を示す。Ｒ１３及びＲ１４は、それぞれ独立に、水素又は炭素数１〜３のアルキル基を示す。Ｒ１５は、炭素数１〜５のアルキレン基を示す。）
【化３】
2015021075.tif 000017
（上記（ｂ２）式中、Ｒ２１は、炭素数８〜１８の直鎖もしくは分岐鎖のアルキル基又は炭素数８〜１８の直鎖もしくは分岐鎖のアルケニル基を示す。Ｒ２２及びＲ２３は、それぞれ独立に、炭素数１〜４の直鎖もしくは分岐鎖のアルキル基又は炭素数２〜４の直鎖もしくは分岐鎖のアルケニル基を示す。Ｒ２４は、炭素数１〜６の直鎖もしくは分岐鎖のアルキレン基又は炭素数１〜６の直鎖もしくは分岐鎖のヒドロキシアルキレン基を示す。）
【発明の詳細な説明】
【技術分野】
【０００１】
本発明は、拭き取り用の液体洗浄剤に関する。
【背景技術】
【０００２】
例えば、便座や、便器の周辺の掃除には、トイレに備えられており、手軽なトイレットペーパーが使われることが多い。しかし、液体洗浄剤を用い、トイレットペーパーで汚れを拭き取る（拭き取り掃除）と、トイレットペーパーが容易に破けてしまう。加えて、拭き取り掃除をした後の洗浄対象は、液体洗浄剤が残留していて、べた付いたり、ヌル付いたりしやすい。
こうした問題に対し、特定の両性界面活性剤と、エタノール１５〜２５質量％と、エチレンジアミンテトラ酢酸とを含有するトイレ用洗浄剤組成物が提案されている（例えば、特許文献１）。特許文献１に記載の発明によれば、こびり付いた尿汚れに対する優れた洗浄力と、トイレットペーパーを用いてもトイレットペーパーが破れにくい、洗浄対象のべた付きやヌル付きがない、拭き跡を残さないという優れた利便性との両立が図られている。
【先行技術文献】
【特許文献】
【０００３】
【特許文献１】特開２０１１−２２５７６２号公報
【発明の概要】
【発明が解決しようとする課題】
【０００４】
ところで、商品価値を高めるために、液体洗浄剤には香料が配合される。近年、トイレ等に使用される液体洗浄剤には、掃除後の空間での香気の持続性（残香性）が求められている。
残香性に優れる香料成分は、疎水性が強い。このため、エタノールの含有量が多い特許文献１に記載の発明に、残香性に優れる香料成分を単に配合しようとすると、香料成分が液体洗浄剤に溶解しにくく、十分量の香料成分を配合できないという問題がある。疎水性の強い香料成分を可溶化するために、界面活性剤を単に増量すると、洗浄対象に界面活性剤が残存して、拭き跡が残ったり、べた付きやヌル付きの原因となる。
そこで、本発明は、拭き取り掃除での利便性に優れ、かつ残香性に優れる拭き取り用の液体洗浄剤を目的とする。
【課題を解決するための手段】
【０００５】
本発明の拭き取り用の液体洗浄剤は、（Ａ）成分：二級アルカンスルホン酸塩、及び下記一般式（ａ２）で表される化合物から選ばれる少なくとも１種の界面活性剤と、（Ｂ）成分：下記一般式（ｂ１）で表される化合物、及び下記一般式（ｂ２）で表される化合物から選ばれる少なくとも１種の両性界面活性剤と、（Ｃ）成分：エタノール１５質量％以上と、（Ｄ）成分：ＣｌｏｇＰ値が３．０以上の香料成分を含有する香料と、を含有し、前記（Ａ）成分／前記（Ｂ）成分で表される質量比が０．３〜３０、［前記（Ａ）成分＋前記（Ｂ）成分］／前記（Ｄ）成分で表される質量比が０．５〜３０であることを特徴とする。
【０００６】
【化１】
2015021075.tif 000002
（上記（ａ２）式中、Ｒ１及びＲ２は、それぞれ独立に、炭素数６〜１８のアルキル基又は炭素数６〜１８のアルケニル基である。Ｍａは、水素、アルカリ金属、アルカリ土類金属、アンモニア、アルカノールアミンのいずれかを示し、ｔはＭａの価数を表す。）
【０００７】
【化２】
2015021075.tif 000003
（上記（ｂ１）式中、Ｒ１１は、炭素数８〜２０のアルキル基又は炭素数８〜２０のアルケニル基を示す。Ｒ１２は、炭素数１〜５のアルキレン基を示す。Ｒ１３及びＲ１４は、それぞれ独立に、水素又は炭素数１〜３のアルキル基を示す。Ｒ１５は、炭素数１〜５のアルキレン基を示す。）
【０００８】
【化３】
2015021075.tif 000004
（上記（ｂ２）式中、Ｒ２１は、炭素数８〜１８の直鎖もしくは分岐鎖のアルキル基又は炭素数８〜１８の直鎖もしくは分岐鎖のアルケニル基を示す。Ｒ２２及びＲ２３は、それぞれ独立に、炭素数１〜４の直鎖もしくは分岐鎖のアルキル基又は炭素数２〜４の直鎖もしくは分岐鎖のアルケニル基を示す。Ｒ２４は、炭素数１〜６の直鎖もしくは分岐鎖のアルキレン基又は炭素数１〜６の直鎖もしくは分岐鎖のヒドロキシアルキレン基を示す。）
【発明の効果】
【０００９】
本発明の拭き取り用の液体洗浄剤によれば、拭き取り掃除での利便性に優れ、かつ残香性に優れる。
【発明を実施するための形態】
【００１０】
（拭き取り用の液体洗浄剤）
本発明の拭き取り用の液体洗浄剤（以下、単に液体洗浄剤ということがある）は、下記（Ａ）〜（Ｄ）成分を含有する。
【００１１】
液体洗浄剤のｐＨは、５〜９が好ましく、６〜８がより好ましい。ｐＨが上記範囲内であれば、後述する（Ｄ）成分が強酸や強アルカリによって変質するのを抑制して、残香性をより高められる。
【００１２】
液体洗浄剤の粘度は、特に限定されないが、例えば、２〜５０ｍＰａ・ｓが好ましい。粘度が上記下限値以上であれば、洗浄対象に塗布した際に、洗浄対象に滞留しやすく、上記上限値以下であれば、液体洗浄剤を注出しやすく、拭き取りやすい。
液体組成物の粘度は、Ｂ型粘度計（ＴＯＫＩＭＥＣ社製）により２５℃で測定される値（測定条件：ロータＮｏ．２、回転数６０ｒｐｍ、６０回転後の粘度）である。
【００１３】
＜（Ａ）成分＞
（Ａ）成分は、二級アルカンスルホン酸塩（以下、（ａ１）成分ということがある）、及び後述する一般式（ａ２）で表される化合物（以下、（ａ２）成分ということがある）から選ばれる少なくとも１種の界面活性剤である。液体洗浄剤は、（Ａ）成分と（Ｂ）成分とを併有することで、（Ｄ）成分を溶媒に可溶化して、残香性を高められる。
【００１４】
≪（ａ１）成分≫
（ａ１）成分は、二級アルカンスルホン酸塩である。（ａ１）成分は、パラフィンスルホン酸塩とも呼ばれる界面活性剤であって、通常、炭素数１０〜２１の混合物の形態で提供される。この混合物中、炭素数１３〜１８の（ａ１）成分の含有量は、８０質量％以上が好ましく、９０質量％以上が好ましく、１００質量％でもよい。
また、（ａ１）成分は、一級アルカンスルホン酸塩、ジスルホン酸塩、ポリスルホン酸塩等が少量含まれる混合物として供給されてもよい。
【００１５】
好適な（ａ１）成分としては、下記一般式（ａ１）で表される化合物が挙げられる。
【００１６】
【化４】
2015021075.tif 000005
【００１７】
（ａ１）式中、ｐ＋ｑ＝１０〜１４である。即ち、上記（ａ１）式で表される化合物は、炭素数１３〜１７（ただし、（ａ１）式中における「Ｍ」中の炭素数は含まない。）の二級アルカンスルホン酸塩である。ｐ＋ｑが１０以上であれば、油汚れに対する洗浄力が高まり、残香性をより高められる。ｐ＋ｑが１４以下であれば、液体洗浄剤中での本成分の溶解性が良好となるため、保存時における析出等を生じにくい。
（ａ１）式中、Ｍは対イオンである。該対イオンとなるＭとしては、アルカリ金属、アルカリ土類金属、アンモニア、アルカノールアミン等が挙げられる。アルカリ金属としては、ナトリウム、カリウム、リチウム等が挙げられる。アルカリ土類金属としては、カルシウム、マグネシウム等が挙げられる。アルカノールアミンとしては、モノエタノールアミン、ジエタノールアミン、トリエタノールアミン等が挙げられる。中でも、Ｍとしては、アルカリ金属が好ましく、ナトリウム、カリウムがより好ましい。
（ａ１）式中、ｓは、Ｍの価数を表す。例えば、Ｍがカルシウムであれば、ｓは２である。
【００１８】
（ａ１）成分として好適な市販品としては、ＨＯＳＴＡＰＵＲ  ＳＡＳ３０（商品名、クラリアントジャパン株式会社製。炭素数１３〜１７の二級アルカンスルホン酸ナトリウムを９０質量％以上含む。）、ＨＯＳＴＡＰＵＲ  ＳＡＳ６０（商品名、クラリアントジャパン株式会社製。炭素数１３〜１７の二級アルカンスルホン酸ナトリウムを９０質量％以上含む。）、ＭＥＲＳＯＬ８０（商品名、Ｂａｙｅｒ社製。平均炭素数１５（炭素数１３〜１７の二級アルカンスルホン酸ナトリウムを８０質量％以上含む。）、ＭＡＲＬＯＮシリーズのＰＳ６５、ＰＳ６０、ＰＳ６０Ｗ（商品名、ＳＡＳＯＬ社製。炭素数１０〜１８（炭素数１３〜１７の二級アルカンスルホン酸ナトリウムを９０質量％以上含む）。）等が挙げられる。
【００１９】
≪（ａ２）成分≫
（ａ２）成分は、下記一般式（ａ２）で表される化合物であり、ジアルキルスルホコハク酸エステル又はその塩である。
【００２０】
【化５】
2015021075.tif 000006
【００２１】
（ａ２）式中、Ｒ１及びＲ２は、それぞれ独立に、炭素数６〜１８のアルキル基又は炭素数６〜１８のアルケニル基である。
Ｒ１及びＲ２の炭素数は、８〜１４が好ましい。上記下限値以上であれば、油汚れに対する洗浄力をより高められ、上記上限値以下であれば、液体洗浄剤中での本成分の溶解性が良好となり、保存時における析出等を生じにくい。
Ｒ１及びＲ２は、直鎖でもよく、分岐鎖でもよく、中でも、分岐鎖が好ましい。
Ｒ１及びＲ２としては、アルキル基が好ましい。
Ｍａは、対イオンであり、水素、アルカリ金属、アルカリ土類金属、アンモニア、アルカノールアミンのいずれかである。アルカリ金属としては、ナトリウム、カリウム、リチウム等が挙げられる。アルカリ土類金属としては、カルシウム、マグネシウム等が挙げられる。アルカノールアミンとしては、モノエタノールアミン、ジエタノールアミン、トリエタノールアミン等が挙げられる。中でも、Ｍａとしては、アルカリ金属が好ましく、ナトリウム、カリウムがより好ましい。
ｔは、Ｍａの価数を表す。例えば、Ｍａがカルシウムであれば、ｔは２である。
【００２２】
（ａ２）成分としては、例えば、ジ−２−エチルヘキシルスルホコハク酸エステル塩、ジ−トリデシルスルホコハク酸エステル塩、ジラウリルスルホコハク酸エステル塩等が挙げられる。これらの（ａ２）成分は、１種単独で用いられてもよいし、２種以上が組み合わされて用いられてもよい。
【００２３】
（Ａ）成分は、１種単独で用いられてもよいし、２種以上が組み合わされて用いられてもよい。
液体洗浄剤中の（Ａ）成分の含有量は、０．１〜１．９質量％が好ましく、０．１〜１．５質量％がより好ましい。上記下限値以上であれば、後述する（Ｄ）成分をより確実に可溶化して、残香性をより高められ、上記上限値以下であれば、拭き跡残りをより良好に防止できる。
【００２４】
＜（Ｂ）成分＞
（Ｂ）成分は、下記一般式（ｂ１）で表される化合物（以下、（ｂ１）成分ということがある）、及び下記一般式（ｂ２）で表される化合物（以下、（ｂ２）成分ということがある）から選ばれる少なくとも１種の両性界面活性剤である。
【００２５】
≪（ｂ１）成分≫
（ｂ１）成分は、下記一般式（ｂ１）で表される化合物である。
【００２６】
【化６】
2015021075.tif 000007
【００２７】
（ｂ１）式中、Ｒ１１は、炭素数８〜２０のアルキル基又は炭素数８〜２０のアルケニル基である。
Ｒ１１の炭素数は、９〜１５が好ましい。上記下限値以上であれば、油汚れに対する洗浄力を高められ、液体洗浄剤中における（Ｄ）成分の溶解性をより高められる。上記上限値以下であれば、液体洗浄剤中の本成分の溶解性が良好となり、保存時における析出等を生じにくい。
Ｒ１１は、直鎖でもよく、分岐鎖でもよく、中でも、直鎖が好ましい。
Ｒ１１としては、アルキル基が好ましい。
【００２８】
Ｒ１２は、炭素数１〜５のアルキレン基である。
Ｒ１２の炭素数は、２〜３が好ましい。上記範囲内であれば、油汚れに対する洗浄力を高められ、液体洗浄剤中の（Ｄ）成分の溶解性をより高められる。
Ｒ１２は、直鎖でもよく、分岐鎖でもよく、中でも、直鎖が好ましい。
【００２９】
Ｒ１３及びＲ１４は、それぞれ独立に、水素又は炭素数１〜３のアルキル基である。中でも、液体洗浄剤中の（Ｄ）成分の溶解性をより高める観点から、Ｒ１３及びＲ１４は、アルキル基が好ましい。
Ｒ１３又はＲ１４がアルキル基である場合、このアルキル基の炭素数は１〜２が好ましい。上記範囲内であれば、油汚れに対する洗浄力を高められ、液体洗浄剤中の（Ｄ）成分の溶解性をより高められる。
Ｒ１３又はＲ１４がアルキル基である場合、このアルキル基は、直鎖でもよく、分岐鎖でもよく、中でも、直鎖が好ましい。
Ｒ１５は、炭素数１〜５のアルキレン基である。Ｒ１５の炭素数は、１〜３が好ましい。上記範囲内であれば、油汚れに対する洗浄力を高められ、液体洗浄剤中の（Ｄ）成分の溶解性をより高められる。
Ｒ１５は、直鎖でもよく、分岐鎖でもよく、中でも、直鎖が好ましい。
【００３０】
（ｂ１）成分としては、例えば、オクチルアミドプロピル−Ｎ，Ｎ−ジメチル酢酸ベタイン（オクタン酸アミドプロピルベタイン）、ラウリルアミドプロピル−Ｎ，Ｎ−ジメチル酢酸ベタイン（ラウリン酸アミドプロピルベタイン）、ステアリル−Ｎ，Ｎ−ジメチル酢酸ベタイン（ステアリン酸アミドプロピルベタイン）、ステアリル−Ｎ，Ｎ−ジメチル−２−ヒドロキシプロピルベタイン、ヤシ油脂肪酸アミドプロピルベタイン等が挙げられる。中でも、（ｂ１）成分としては、ラウリン酸アミドプロピルベタインが好ましい。これらの（Ａ）成分は、１種単独で用いられてもよいし、２種以上が組み合わされて用いられてもよい。
【００３１】
（ｂ１）成分は、商業的に入手可能である。ラウリン酸アミドプロピルベタインとしては、例えば、ライオン株式会社製「エナジコールＬ−３０Ｂ」が挙げられ、ヤシ油脂肪酸アミドプロピルベタインとしては、例えば、一方社油脂工業株式会社製「ＣＡＢ−３０」、デグサ社製「ＴＥＧＯ  ＢＥＴＡＩＮ  ＣＫ−ＯＫ」が挙げられる。パーム核油脂肪酸アミドプロピルベタインとしては、例えば、ミヨシ油脂株式会社製「アンホレックスＰＢ−１」が挙げられる。
【００３２】
（ｂ２）成分は、下記一般式（ｂ２）で表される化合物である。
【００３３】
【化７】
2015021075.tif 000008
【００３４】
（ｂ２）式中、Ｒ２１は、炭素数８〜１８の直鎖もしくは分岐鎖のアルキル基又は炭素数８〜１８の直鎖もしくは分岐鎖のアルケニル基である。
Ｒ２１の炭素数は、１０〜１６が好ましい。上記下限値以上であれば、油汚れに対する洗浄力を高められ、上記上限値以下であれば、液体洗浄剤中の本成分の溶解性が良好となるため、保存時における析出等を生じにくい。
Ｒ２１は、直鎖でもよく、分岐鎖でもよく、中でも、直鎖が好ましい。
Ｒ２１としては、アルキル基が好ましい。
【００３５】
Ｒ２２及びＲ２３は、それぞれ独立に、炭素数１〜４の直鎖もしくは分岐鎖のアルキル基又は炭素数２〜４の直鎖もしくは分岐鎖のアルケニル基である。
Ｒ２２及びＲ２３の炭素数は、１〜２が好ましい。上記範囲内であれば、油汚れに対する洗浄力を高められ、液体洗浄剤中の（Ｄ）成分の溶解性をより高められる。
Ｒ２２及びＲ２３は、直鎖でもよく、分岐鎖でもよく、中でも、直鎖が好ましい。
Ｒ２２及びＲ２３としては、アルキル基が好ましい。
【００３６】
Ｒ２４は、炭素数１〜６の直鎖もしくは分岐鎖のアルキレン基又は炭素数１〜６の直鎖もしくは分岐鎖のヒドロキシアルキレン基である。
Ｒ２４の炭素数は、１〜３が好ましい。上記範囲内であれば、油汚れに対する洗浄力を高められ、液体洗浄剤中の（Ｄ）成分の溶解性をより高められる。
Ｒ２４は、直鎖でもよく、分岐鎖でもよく、中でも、直鎖が好ましい。
Ｒ２４としては、アルキレン基が好ましい。
【００３７】
（ｂ２）成分としては、例えば、ヤシ油アルキルジメチルアミノ酢酸ベタイン、ラウリルジメチルアミノ酢酸ベタイン、パルミチルジメチルアミノ酢酸ベタイン、ステアリルジメチルアミノ酢酸ベタイン等が挙げられる。中でも、（ｂ２）成分としては、ラウリルジメチルアミノ酢酸ベタインが好ましい。これらの（ｂ２）成分は、１種単独で用いられてもよいし、２種以上が組み合わされて用いられてもよい。
（ｂ２）成分は、商業的に入手可能である。ラウリルジメチルアミノ酢酸ベタインとして、例えば、三洋化成工業株式会社製「レボンＬＤ−３６」、東邦化学工業株式会社製「オバゾリンＬＢ−ＳＦ」が挙げられる。ステアリルジメチルアミノ酢酸ベタインとしては、花王株式会社製「アンヒトール８６Ｂ」が挙げられる。
【００３８】
上述した（Ｂ）成分は、１種単独で用いられてもよいし、２種以上が組み合わされて用いられてもよい。
液体洗浄剤中の（Ｂ）成分の含有量は、０．１〜１．９質量％が好ましく、０．５〜１．９質量％がより好ましい。上記下限値以上であれば、後述する（Ｄ）成分をより確実に可溶化して、残香性をより高められ、上記上限値以下であれば、拭き跡残りをより良好に防止できる。
【００３９】
液体洗浄剤中、（Ａ）成分と（Ｂ）成分との合計量は、０．５〜５質量％が好ましく、１〜３質量％がより好ましい。上記下限値以上であれば、後述する（Ｄ）成分をより確実に可溶化して、残香性をより高められ、上記上限値以下であれば、拭き跡残りをより良好に防止できる。
【００４０】
（Ａ）成分／（Ｂ）成分で表される質量比（以下、Ａ／Ｂ比ということがある）は、０．３〜３０であり、０．５〜１０が好ましく、０．５〜３がより好ましい。Ａ／Ｂ比が上記範囲内であれば、（Ａ）成分と（Ｂ）成分とのバランスがよく、（Ｄ）成分を可溶化しやすく、残香性を高められる。加えて、Ａ／Ｂ比が上記上限値以下であれば、拭き跡残りを生じず、液体洗浄剤の外観を良好に維持しやすい。
【００４１】
＜（Ｃ）成分＞
（Ｃ）成分は、エタノールである。液体洗浄剤は、（Ｃ）成分を含有することで、トイレットペーパーを用いて拭き取り掃除をした場合でも、トイレットペーパーが破れたりしにくい。
【００４２】
液体洗浄剤中の（Ｃ）成分の含有量は、１５質量％以上であり、１５〜２５質量％が好ましく、１８〜２２質量％がより好ましい。上記下限値未満では、トイレットペーパーが破れやすくなり、上記上限値超では、（Ｄ）成分の溶解量が少なくなり、残香性が低下するおそれがある。
【００４３】
＜（Ｄ）成分＞
（Ｄ）成分は、ＣｌｏｇＰ値が３．０以上の香料成分（以下、（ｄ１）成分ということがある）を含有する香料である。液体洗浄剤は、（Ｄ）成分を含有することで、残香性を高められる。
（Ｄ）成分は、香料成分からなる組成物である。香料成分は、例えば、「Ｐｅｒｆｕｍｅ  ａｎｄ  Ｆｌａｖｏｒ  Ｃｈｅｍｉｃａｌｓ」，Ｖｏｌ．Ｉ  ａｎｄ  ＩＩ，Ｓｔｅｆｆｅｎ  Ａｒｃｔａｎｄｅｒ，Ａｌｌｕｒｅｄ  Ｐｕｂ．Ｃｏ．（１９９４）、「合成香料化学と商品知識」，印藤元一著，化学工業日報社（１９９６）、「Ｐｅｒｆｕｍｅ  
ａｎｄ  Ｆｌａｖｏｒ  Ｍａｔｅｒｉａｌｓ  ｏｆ  ＮａｔｕｒａｌＯｒｉｇｉｎ」，Ｓｔｅｆｆｅｎ  Ａｒｃｔａｎｄｅｒ，Ａｌｌｕｒｅｄ  Ｐｕｂ．Ｃｏ．（１９９４）、「香りの百科」，日本香料協会編，朝倉書店（１９８９）、「Ｐｅｒｆｕｍｅｒｙ  ＭａｔｅｒｉａｌＰｅｒｆｏｒｍａｎｃｅ  Ｖ．３．３」，Ｂｏｅｌｅｎｓ  Ａｒｏｍａ  Ｃｈｅｍｉｃａｌ  Ｉｎｆｏｒｍａｔｉｏｎ  Ｓｅｒｖｉｃｅ（１９９６）、「Ｆｌｏｗｅｒ
ｏｉｌｓ  ａｎｄ  Ｆｌｏｒａｌ  Ｃｏｍｐｏｕｎｄｓ  Ｉｎ  Ｐｅｒｆｕｍｅｒｙ」，Ｄａｎｕｔｅ  Ｌａｊａｕｊｉｓ  Ａｎｏｎｉｓ，Ａｌｌｕｒｅｄ  Ｐｕｂ．Ｃｏ．（１９９３）等に挙げられている。
【００４４】
≪（ｄ１）成分≫
（ｄ１）成分は、ＣｌｏｇＰ値が３．０以上の香料成分である。
ＣｌｏｇＰ値は、化学物質について、１−オクタノール中及び水中の平衡濃度の比を表す１−オクタノール／水分配係数Ｐを底１０に対する対数ｌｏｇＰの形態で表した値である。前記ＣｌｏｇＰ値は、ｆ法（疎水性フラグメント定数法）により、化合物の化学構造をその構成要素に分解し、各フラグメントの有する疎水性フラグメント定数・ｆを積算して求められる（例えば、Ｃｌｏｇ  ３  Ｒｅｆｅｒｅｎｃｅ  Ｍａｎｕａｌ  ＤａｙｌｉｇｈｔＳｏｆｔｗａｒｅ  ４．３４，Ａｌｂｅｒｔ  Ｌｅｏ，Ｄａｖｉｄ  Ｗｅｉｎｉｎｇｅｒ，Ｖｅｒｓｉｏｎ  １，Ｍａｒｃｈ、１９９４参照）。一般に、香料成分はＣｌｏｇＰ値が大きいほど疎水的であることから、ＣｌｏｇＰ値が大きい香料成分を多く含む香料は、ＣｌｏｇＰ値が小さい香料成分を多く含む香料よりも疎水的である。（ｄ１）成分は、香りの持続性がよい。一方、ＣｌｏｇＰ値が３．０未満の香料成分（以下、（ｄ２）成分ということがある）は、香りが良いが、香りの持続性が不十分である。
（ｄ１）成分としては、例えば、表１の香料成分が挙げられる。
【００４５】
【表１】
2015021075.tif 000009
【００４６】
（Ｄ）成分中の（ｄ１）成分の含有量は、特に限定されず、０質量％超１００質量％以下であればよく、２０〜７０質量％が好ましく、３０〜５０質量％がより好ましい。上記下限値以上であれば、残香性をより高められ、上記上限値以下であれば、（Ｄ）成分が適度な親水性を備え、香り立ちが良好になる。
【００４７】
液体洗浄剤中の（ｄ１）成分の含有量は、特に限定されず、例えば、０．０６〜０．２質量％が好ましく、０．０９〜０．１５質量％がより好ましい。上記下限値未満では、残香性が低下するおそれがあり、上記上限値超では、（ｄ１）成分を可溶化するための（Ａ）〜（Ｂ）成分が多くなりすぎて、べた付きやヌル付きを生じたり、拭き跡が残りやすくなるおそれがある。
【００４８】
≪（ｄ２）成分≫
（ｄ２）成分は、ＣｌｏｇＰ値が３．０未満の香料成分である。（ｄ２）成分を含有することで、（Ｄ）成分の徐放性が高まり、香り立ちがよくなる。
【００４９】
液体洗浄剤中の（Ｄ）成分の含有量は、０．１〜１質量％が好ましく、０．２〜０．５質量％がより好ましい。上記下限値以上であれば、残香性をより高められ、上記上限値以下であれば、液体洗浄剤の外観を良好にしやすい。
【００５０】
液体洗浄剤において、［（Ａ）成分＋（Ｂ）成分］／（Ｄ）成分で表される質量比（以下、（Ａ＋Ｂ）／Ｄ比ということがある）は、０．５〜３０であり、３〜２５が好ましく、３〜１０がより好ましい。（Ａ＋Ｂ）／Ｄ比が上記下限値以上であれば、（Ａ）成分及び（Ｂ）成分の含有量が少なくなりすぎず、残香性を高め、液体洗浄剤の外観を良好にしやすい。（Ａ＋Ｂ）／Ｄ比が上記上限値以下であれば、（Ｄ）成分の含有量が少なくなりすぎず、残香性を高められる。
【００５１】
＜溶媒＞
溶媒は、水道水、イオン交換水、蒸留水等の水であり、中でもイオン交換水が好ましい。
液体洗浄剤中の水の含有量は、特に限定されず、５０〜９０質量％が好ましく、６０〜８０質量％がより好ましい。
【００５２】
＜その他の成分＞
液体洗浄剤は、本発明の効果を損なわない範囲で、（Ａ）〜（Ｄ）成分以外の任意成分を含有してもよい。
任意成分としては、（Ａ）〜（Ｂ）成分以外の界面活性剤（任意界面活性剤）、増粘剤、防腐剤、着色剤、ｐＨ調整剤等が挙げられる。
【００５３】
（製造方法）
液体洗浄剤は、従来公知の方法により製造される。液体洗浄剤の製造方法としては、例えば、水に、（Ａ）〜（Ｄ）成分と、必要に応じて任意成分とを加え、これを攪拌する方法が挙げられる。
【００５４】
（使用方法）
液体洗浄剤の使用方法は、例えば、液体洗浄剤をスプレー式の吐出容器やスクイズ式の吐出容器に収容し、これらの容器から、便座や床面等の洗浄対象に適量の液体洗浄剤を塗布し、塗布した液体洗浄剤を汚れと共に拭き取る方法が挙げられる。液体洗浄剤を拭き取る際には、トイレットペーパーや布を用いることができる。
あるいは、トイレットペーパーや布に液体洗浄剤を塗布し、このトイレットペーパー等で洗浄対象を拭き取る方法が挙げられる。
【００５５】
上述した通り、本発明の液体洗浄剤によれば、（Ａ）〜（Ｃ）成分を含有するため、拭き取り掃除においてトイレットペーパーが破れにくいという、優れた利便性を有する。加えて、（Ａ）〜（Ｄ）成分を含有し、Ａ／Ｂ比及び（Ａ＋Ｂ）／Ｄ比が特定の範囲であるため、拭き跡が残りにくく、優れた残香性を発揮できる。
【００５６】
本発明の液体洗浄剤を用いた拭き取り掃除においては、トイレットペーパーを用いても、トイレットペーパーが破れにくく、拭き跡が残りにくく、利便性に優れる。このため、本発明の液体洗浄剤は、トイレ用の拭き取り用洗浄剤として、特に好適である。
【実施例】
【００５７】
以下、実施例を示して本発明を詳細に説明するが、本発明は以下の記載によって限定されるものではない。
【００５８】
（使用原料）
＜（Ａ）成分＞
・Ａ−１：二級アルカンスルホン酸ナトリウム（ＳＡＳ、平均分子量３２８）、クラリアントジャパン株式会社製の「ＨＯＳＴＡＰＵＲ  ＳＡＳ６０」（商品名）。（ａ１）式中のｐ＋ｑ＝１０〜１４の混合物、Ｍがナトリウム、ｓが１である（ａ１）成分に相当。
・Ａ−２：ジアルキルスルホコハク酸ナトリウム。ライオン株式会社製の「リパール８７０Ｐ」（商品名）。（ａ２）式中、Ｒ１及びＲ２が２−エチルヘキシル、Ｍａがナトリウム、ｔが１である（ａ２）成分に相当。
＜（Ａ’）成分：（Ａ）成分の比較品＞
・Ａ’−１：直鎖アルキルベンゼンスルホン酸ナトリウム（ＬＡＳ、直鎖アルキル基の炭素数１０〜１５）。テイカ株式会社製の「テイカパワーＬ１２１」（商品名）。
・Ａ’−２：ポリオキシエチレンアルキルエーテル硫酸エステルナトリウム（ＡＥＳ）。ライオン株式会社製の「サンノールＴＤ−３１３０」（商品名）。
・Ａ’−３：α−オレフィンスルホン酸ナトリウム（ＡＯＳ、炭素数１４と１６との混合物）。ライオン株式会社製の「リポランＬＢ−４４０」（商品名）。
・Ａ’−４：ミリスチン酸ナトリウム。日油株式会社製の「ノンサールＭＮ−１」（商品名）。
・Ａ’−５：エーテルカルボン酸塩。ライオン株式会社製の「エナジコールＥＣ−３０」（商品名）。
・Ａ’−６：Ｎ−アシルアミノ酸塩。ライオン株式会社製の「エナジコールＬ−３０ＡＭ」（商品名）。
・Ａ’−７：アルキルジフェニルエーテルスルホン酸塩。ダウケミカル社製「Ｄｏｗｆａｘ  ＡＸＣ６Ｌ」（商品名）。
【００５９】
＜（Ｂ）成分＞
・Ｂ−１：ラウリン酸アミドプロピルベタイン（ＬＰＢ）。ライオン株式会社製の「エナジコールＬ−３０Ｂ」（商品名）。（ｂ１）成分に相当。
・Ｂ−２：ラウリルジメチルアミノ酢酸ベタイン（ＬＤＢ）。三洋化成工業株式会社製の「レボンＬＤ−３６」（商品名）。（ｂ２）成分に相当。
＜（Ｂ’）成分：（Ｂ）成分の比較品＞
・Ｂ’−１：ドデシルジメチルアミンオキシド（ＡＸ）。ライオンアクゾ株式会社製の「アロモックス  ＤＭ１２  Ｄ−Ｗ（Ｃ）」（商品名）。
・Ｂ’−２：Ｎ−ヤシ油脂肪酸アシル−Ｎ−カルボキシエチル−Ｎ−ヒドロキシエチルエチレンジアミン。川研ファインケミカル株式会社製の「ソフタゾリンＮＳ」（商品名）。
【００６０】
＜（Ｃ）成分＞
・Ｃ−１：エタノール。協和発酵工業株式会社製の「発酵アルコール９５度」（商品名）。
＜（Ｃ’）成分：（Ｃ）成分の比較品＞
・Ｃ’−１：ブチルカルビトール。協和発酵工業株式会社製の「ブチルカルビトール９５−Ｐ」（商品名）。
・Ｃ’−２：プロピレングリコール。ダウケミカル社製の「プロピレングリコール」。
【００６１】
＜（Ｄ）成分＞
・Ｄ−１：表２に記載の香料Ｄ−１。
・Ｄ−２：表２に記載の香料Ｄ−２。
＜（Ｄ’）成分：（Ｄ）成分の比較品＞
・Ｄ’−１：表２に記載の香料Ｄ’−１。
【００６２】
＜共通成分＞
各例の液体洗浄剤には、以下の共通成分を配合した。各成分の末尾の数値は、液体洗浄剤への配合量である。
・エチレンジアミンテトラ酢酸：アクゾノーベル株式会社製の「ディゾルビンＺ」（商品名）・・・・０．５質量％。
・クエン酸：扶桑化学工業株式会社製の「クエン酸」・・・・０．４質量％。
・水酸化カリウム：旭硝子株式会社製の「液体苛性カリ」・・・・０．６質量％。
【００６３】
【表２】
2015021075.tif 000010
【００６４】
＜溶媒＞
・水：イオン交換水。
【００６５】
（実施例１〜２２、比較例１〜２０）
表３〜６に示す組成に従い、各例の液体洗浄剤５００ｇを下記の手順で調製した（表中に記載のない成分は添加しなかった）。
（Ｃ）成分と共通成分とを水に加え混合し、次いで、（Ａ）〜（Ｂ）成分、（Ｄ）成分を加え混合した。必要に応じ、ｐＨ調整剤（クエン酸又は水酸化カリウム）を新たに加えてｐＨ７．０に調整して、各例の液体洗浄剤を得た。
得られた液体洗浄剤について、紙破れ防止効果、拭き跡残り防止効果、残香性及び外観を評価し、その結果を表中に示す。
なお、ｐＨ調整剤の配合量「適量」は、液体洗浄剤をｐＨ７．０にするのに要した量である。水の配合量「バランス」は、液体洗浄剤の全量を１００質量％にするのに必要な量である。
ｐＨは、液体洗浄剤を２５℃に調整し、ガラス電極式ｐＨメーター（製品名：ホリバＦ−２２、株式会社堀場製作所製）を用い、電極を液体洗浄剤に浸漬した３０秒後に読み取られた値である。ｐＨの測定方法は、ＪＩＳ  Ｋ３３６２−１９９８に準拠したものである。
【００６６】
（評価方法）
＜紙破れ防止効果＞
１１．５ｃｍ×３０ｃｍのトイレットペーパー（日本製紙クレシア株式会社製の「クリネックス（シングル）」（商品名）を８ツ折にした。
クッションフロア全面に乾燥した尿汚れがあると想定して、３０ｃｍ角のクッションフロア中央に液体洗浄剤１ｍＬを塗布し、これを８ツ折にしたトイレットペーパーに含浸させながらクッションフロア全面をまんべんなく拭き取った。拭き取り後のトイレットペーパーの破れ具合を目視で確認し、下記評価基準に従って評価した。「◎」及び「○」を合格とした。
【００６７】
≪評価基準≫
◎：破れていない。
○：ほんの一部破れたが、ほとんど気にならない。
△：明らかに破れている。
×：ボロボロに破れている。
【００６８】
＜拭き跡残り防止効果＞
液体洗浄剤１００μＬをスライドガラスに乗せ、８ツ折にしたトイレットペーパーで軽く一拭きした。乾燥後、拭き跡の残り具合を目視で観察し、下記評価基準に従って評価した。３〜５点を合格とした。
【００６９】
≪評価基準≫
５：拭き跡が全く残らない。
４：わずかに細い線状の拭き跡が残るが、気にならない。
３：線状に拭き跡が残るが、ほとんど気にならない。
２：面状に拭き跡が残る。
１：全面に拭き跡が残る。
【００７０】
＜残香性＞
一般的な大きさである１．８２ｍ×０．９１ｍ（０．５坪）のトイレ空間にて、トイレの便座及び床にそれぞれ液体洗浄剤１ｍＬを塗布し、これを８ツ折にしたトイレットペーパーで塗り広げるようにして、拭き取り掃除をした。下記評価基準に従い、専門パネラ５名が、拭き取り掃除の直後の香りと、拭き取り掃除の１時間後の香りとを比較評価した。専門パネラの評価結果の平均値を求め３〜５点を合格とした。
【００７１】
≪評価基準≫
５：拭き取り掃除の１時間後の香りが全く弱まっていない。
４：拭き取り掃除の１時間後の香りがわずかに弱まっているが、十分に感知できる強度。
３：拭き取り掃除の１時間後の香りは弱まっているが、感知できる強度。
２：拭き取り掃除の１時間後の香りが弱く、ほとんど感知できない強度。
１：拭き取り掃除の１時間後の香りが明らかに弱く、感知できない強度。
【００７２】
＜外観＞
液体洗浄剤を無色透明ガラス瓶に入れ、２５℃の恒温槽に１時間静置した。その後、下記評価基準に従い、外観を目視で評価した。「◎」「○」を合格とした。
【００７３】
≪評価基準≫
◎：無色透明で異物が無い。
○：わずかに白く濁っているが問題ないレベル。
△：薄っすら白く濁っているが問題ないレベル。
×：明らかな白濁、沈殿又は分離が見られる。
【００７４】
【表３】
2015021075.tif 000011
【００７５】
【表４】
2015021075.tif 000012
【００７６】
【表５】
2015021075.tif 000013
【００７７】
【表６】
2015021075.tif 000014
【００７８】
表３〜６に示すように、本発明を適用した実施例１〜２２は、紙破れ防止効果が「◎」又は「○」であり、拭き跡残り防止効果が３〜５点であり、利便性に優れていた。加えて実施例１〜２２は、残香性が３〜５点であった。
一方、（Ａ）成分、（Ｂ）成分、（Ｄ）成分のいずれかを含有しない比較例１、２、４は、残香性が劣っていた。
（Ｃ）成分を含有しない比較例３は、紙破れ防止効果が「×」であった。
（Ａ）成分に代えて（Ａ’）成分を用いた比較例５〜１１、（Ｂ）成分に代えて（Ｂ’）成分を用いた比較例１２〜１３は、いずれも残香性が２点以下であった。
（Ｃ）成分に代えて（Ｃ’）成分を用いた比較例１４〜１５は、紙破れ防止効果が「×」又は「△」であり、拭き跡残り防止効果が１点又は２点であった。
（Ｄ）成分に代えて（Ｄ’）成分を用いた比較例１６は残香性が２点であった。
Ａ／Ｂ比が０．１である比較例１７は、残香性が１点であり、Ａ／Ｂ比が３８である比較例１８は、拭き跡残り防止効果が２点であった。
（Ａ＋Ｂ）／Ｄ比が０．４である比較例１９及び（Ａ＋Ｂ）／Ｄ比が３３．３である比較例１９〜２０は、いずれも残香性が２点以下であった。
これらの結果から、本発明を適用することで、優れた利便性と優れた残香性とを両立できることが判った。